(57)【特許請求の範囲】
【請求項１】
中央に窓孔(3) を有し、外周縁と前記した窓孔(3) の内周縁を裏向きの短凸縁部(4) とした装飾陶板(2) と、この装飾陶板(2) と同じ形状で、外周縁を裏向きの短凸縁部(14)とし、中央には内縁部の裏面が前記した短凸縁部(14)の端面と略同一面に位置する窓孔(13)が設けられた陶磁器製の裏板(12)とを両短凸縁部(4) 、(14)の端面同士を突き合わせた状態で接合一体化した装飾中空盤体(1) の周面に前記した外周縁の短凸縁部(4) 、(4) との接合線(6) を隠蔽する装飾環体(7) を巻装してその頂部に吊掛部(8) を設けた陶磁器製壁掛であって、前記した両装飾陶板(2) と裏板(12)の窓孔(3) 、(13)の内縁部(5) 、(15)はそれぞれ他の部分より陥没した中間凹段部(5a)、(15a) にこれより一段陥没した所要の幅の内側凹段部(5b)、(15b) を続かせた２段の段付内縁部に形成して、装飾陶板(2) と裏板(12)の窓孔(3) 、(13)の内周縁を内側凹段部(5b)、(15b) で接合一体化するとともに、この段付内縁部に前記窓孔(3) 、(13)を収納空間として嵌め込んだ隠蔽部材(9) の周縁を接着してあることを特徴とする陶磁器製壁掛。
【請求項２】
隠蔽部材(9) が、装飾部材である請求項１に記載の陶磁器製壁掛。
【請求項３】
隠蔽部材(9) が、包装された芳香剤である請求項１に記載の陶磁器製壁掛。
【発明の詳細な説明】
【０００１】
【発明の属する技術分野】
本発明は主として寝室や化粧室などの小部屋に掛吊して室内を飾るのに相応しい陶磁器製壁掛に関するものである。
【０００２】
【従来の技術】
タイル状の装飾陶板を装飾枠材で囲んでその頂部を吊掛部に形成した陶磁器製壁掛は、寝室や化粧室などの小部屋に掛吊しておくのに相応しい装飾小物として従来より広く見られるところであるが、装飾陶板は重量が大なためにボリューム感のある装飾性に優れたものとしようとすると厚肉化された分だけ重くなり、落下して破損したり他物を傷つけるなどの危険が生じるおそれがあり、このため、ボリューム感が乏しくて装飾的に満足できないものであった。
【０００３】
【発明が解決しようとする課題】
本発明が解決しようとするところは、上記のような従来の問題点を解決して、優れた室内装飾効果を発揮するうえに軽量化が可能で落下して破損したり他物を傷つけるなどの危険が少なく、しかも、堅牢で安価な陶磁器製壁掛を提供することにある。
【０００４】
【課題を解決するための手段】
上記の課題を解決するためになされた本発明は、中央に窓孔を有し、外周縁と前記した窓孔の内周縁を裏向きの短凸縁部とした装飾陶板と、この装飾陶板と同じ形状で、外周縁を裏向きの短凸縁部とし、中央には内縁部の裏面が前記した短凸縁部の端面と略同一面に位置する窓孔が設けられた陶磁器製の裏板とを両短凸縁部の端面同士を突き合わせた状態で接合一体化した装飾中空盤体の周面に前記した外周縁の短凸縁部との接合線を隠蔽する装飾環体を巻装してその頂部に吊掛部を設けた陶磁器製壁掛であって、前記した両装飾陶板と裏板の窓孔の内縁部はそれぞれ他の部分より陥没した中間凹段部にこれより一段陥没した所要の幅の内側凹段部を続かせた２段の段付内縁部に形成して、装飾陶板と裏板の窓孔の内周縁を内側凹段部で接合一体化するとともに、この段付内縁部に前記窓孔を収納空間として嵌め込んだ隠蔽部材の周縁を接着してあることを特徴とする陶磁器製壁掛を請求項１の発明とする。なお、前記した陶磁器製壁掛における隠蔽部材としては、装飾部材であっても、包装された芳香剤であってもよい。
【０００５】
【発明の実施の形態】
次に、本発明を図示の実施の形態について詳細に説明する。
１は表板となる陶磁器製の装飾陶板２とこの装飾陶板２と同大の裏板１２とを接合一体化して内部に中空部を形成した装飾中空盤体である。前記した装飾陶板２は、外形が円形、多角形など任意の形状で、主板部の外周縁に裏向きの短凸縁部４が形成された皿状で、表面には絵付けが施され、中央には前記した短凸縁部４の端面と略同一面に内縁部の裏面が位置する窓孔３が設けられている。一方、前記した裏板１２も装飾陶板２と同じ、外形が円形、多角形などの任意の形状で、主板部の外周縁には裏向きの短凸縁部１４が形成された皿状で、中央には内縁部の裏面が前記した短凸縁部１４の端面と略同一面に位置する窓孔１３が設けられた陶磁器製のものである。そして、装飾陶板２と裏板１２とは前記した短凸縁部４、１４の端面同士を突き合わせて両者間に介在させて合成樹脂系の接着剤をもって接合一体化してある。
【０００６】
７は装飾陶板２と裏板１２とよりなる装飾中空盤体１の周面に巻装されて前記した短凸縁部４と裏板１２の短凸縁部１４との間に細溝状に形成される接合線６を隠蔽している縒紐よりなる装飾環体であって、この装飾環体７の頂部には装飾中空盤体１を壁面へ掛吊するための吊掛部８を設けてある。また、装飾陶板２の窓孔３の内縁部と、裏板１２の窓孔１３の内縁部とが主板部より一段陥没した所要の幅を有する中間凹段部５ａ、１５ａとこれよりさらに一段陥没した所要の幅を有する内側凹段部５ｂ、１５ｂとよりなる２段の段付内縁部とされている。
【０００７】
９は前記した内側凹段部５ｂまたは中間凹段部５ａに周縁部をもって貼着されて窓孔３を隠蔽している隠蔽部材である。この隠蔽部材９の種類はどのようなものでもよいが、窓孔３を収納空間としても利用したもので、窓孔３に隠蔽部材９の裏側部分を嵌入させておくことができ、このため、隠蔽部材８として時計、温度計などのような厚みのあるものを用いることも可能である。その他に隠蔽部材９としては、陶磁器やプラスチックその他任意の材料よりなる装飾盤体や鏡板、写真などの装飾部材を用いて装飾陶板２の装飾効果を一層高めるようにしたり、通気性のある包装容器類で包装された芳香剤を用いて室内に芳香が漂うようにしてもよい。
【０００８】
このように構成されたものは、装飾環体７の頂部に設けられている吊掛部８をもって壁掛けとして室内装飾用として使用すれば、表面の装飾陶板２が陶磁器独特の風情ある装飾効果を発揮するものであるが、特に、本発明では比較的重量の大きい陶磁器製であるにもかかわらず、外周縁を裏向きの短凸縁部４とする装飾陶板２をこれと同大の裏板１２に前記短凸縁部４の端面をもって接合一体化した中空体としてあるために、ボリューム感に富んだものとなるうえに軽量化が可能となり、より優れた装飾効果を発揮する。しかも、外周縁の短凸縁部４がリブ効果を発揮するため平板状のものに比べて強度的にも優れたものとなる。しかも、装飾中空盤体１の周面には装飾環体７が縁取状に巻装されて装飾陶板２の短凸縁部４と裏板１２の短凸縁部１４との間の接合線６を隠蔽しているから、２部材の貼り合わせであるにもかかわらず体裁がよく、また、この装飾環体７の頂部を吊掛部８としたので壁面への吊掛けが簡単にできることとなる。
【０００９】
また、裏側も装飾陶板２と同様に外周縁を裏向きの短凸縁部１４とした裏板１２として、両者の短凸縁部４、４と短凸縁部１４、１４の端面同士を突き合わせた状態で接合一体化することにより装飾中空盤体１としてあるので、その分だけ部品点数が少なくなるうえにより十分な中空部を確保できることとなり、さらに、装飾陶板２と裏板１２の窓孔３、１３の内縁部５、１５を他の部分より陥没した中間凹段部５ａ、１５ａとこれよりもさらに一段陥没した内側凹段部５ｂ、１５ｂとする２段の段付内縁部に形成したので、より立体感に富んだものとなって装飾上好ましいうえに装飾陶板２と裏板１２との接合作業性や接合強度的にも一層好ましいものとなる。さらに、窓孔５を収納空間として装飾部材などの隠蔽部材９を嵌め込み隠蔽したので装飾に変化が付与されるし、同じく窓孔５を包装された芳香剤や消臭剤などの隠蔽部材９で隠蔽したものは室内空気の悪化を防ぐ効果を発揮するのでより好ましいものとなる。また、装飾陶板２と前記したような裏板１２の２部材よりなる装飾中空盤体１は相当の厚みとなるので、隠蔽部材９を装着する場合に隠蔽部材９が厚手のものであってもその一部が窓孔５に嵌入された状態で装着可能であり、特に、前記したような窓孔３の内縁部が他の部分より陥没した内側凹段部５ｂとこれより一段陥没した中間凹段部５ａとよりなる２段の段付内縁部に形成してこれらの部分に隠蔽部材９の周縁を接着することにより、隠蔽部材９を窓孔５に安定状態として装着できるものとなる。
【００１０】
【発明の効果】
本発明は以上の説明からも明らかなように、優れた室内装飾効果を発揮するうえに軽量化が可能で落下して破損したり他物を傷つけるなどの危険が少なく、しかも、堅牢で安価な陶磁器製壁掛を提供することができるもので、従来のこの種陶磁器製壁掛の問題点を解決したものとして極めて有用なものである。
【図面の簡単な説明】
【図１】  本発明の実施の形態を示す一部切欠斜視図である。
【図２】  隠蔽部材を用いない本発明の実施の形態を示す縦断側面図である。
【図３】  隠蔽部材を用いた本発明の実施の形態を示す縦断側面図である。
【符号の説明】
１  装飾中空盤体
２  装飾陶板
３  窓孔
４  短凸縁部
5a  中間凹段部
5b  内側凹段部
６  接合線
７  装飾環体
８  吊掛部
９  隠蔽部材
12  裏板
13  窓孔
14  短凸縁部
15a 中間凹段部
15b 内側凹段部
【図１】
0003805615.tif 000002
【図２】
0003805615.tif 000003
【図３】
0003805615.tif 000004